【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に対応する特定表示を表示可能な特定表示手段と、
特定表示を表示した後に、該特定表示の表示態様の変化を示唆する変化示唆演出を実行可能な変化示唆演出実行手段と、を備え、
特定表示の表示態様には、少なくとも、通常態様、第１特殊態様および第２特殊態様が含まれ、
前記変化示唆演出実行手段は、前記第１特殊態様により特定表示が表示されているときおよび前記第２特殊態様により特定表示が表示されているときに、前記通常態様により特定表示が表示されているときよりも高い割合により変化示唆演出を実行し、
前記変化示唆演出には、変化前の特定表示の態様よりも期待度の高い態様に変化する成功パターンと、変化前の特定表示の態様よりも期待度の高い態様に変化しない失敗パターンとが含まれ、
前記第１特殊態様により特定表示が表示されている場合に前記失敗パターンが実行されたときに、前記第１特殊態様による特定表示の表示が継続され、
前記第２特殊態様により特定表示が表示されている場合に前記失敗パターンが実行されたときに、特定表示の表示態様が前記通常態様に変化し、
前記第１特殊態様により特定表示が表示されているときに前記変化示唆演出が実行された場合よりも、前記第２特殊態様により特定表示が表示されているときに前記変化示唆演出が実行された場合の方が、低い割合により前記成功パターンが実行されるとともに高い割合により前記有利状態に制御される、
ことを特徴とする遊技機。
【請求項２】
変化示唆演出実行手段は、第１態様により特定表示を表示した後に、該特定表示の表示態様を変化させる変化示唆演出を実行可能であり、
特定表示の表示態様には、少なくとも、前記第１態様と、有利度が高い第２態様とが含まれ、
前記変化示唆演出実行手段は、
変化示唆演出として、前記第１態様により特定表示を表示した後に、該特定表示の表示態様を前記第２態様に変化させる演出を実行可能であり、
実行された変化示唆演出の実行態様に応じて、異なる割合により、該変化示唆演出の後に変化示唆演出を実行可能である
請求項１記載の遊技機。
【手続補正２】
【補正対象書類名】明細書
【補正対象項目名】００１１
【補正方法】変更
【補正の内容】
【００１１】
（手段Ａ）本発明による遊技機は、可変表示を行い、遊技者にとって有利な有利状態（例えば、大当り遊技状態）に制御可能な遊技機であって、可変表示に対応する特定表示（例えば、保留表示。アクティブ表示でもよい。）を表示可能な特定表示手段（例えば、第１保留記憶表示部９ａ、第２保留記憶表示部９ｂ）と、特定表示を表示した後に、該特定表示の表示態様の変化を示唆する変化示唆演出（例えば、作用演出）を実行可能な変化示唆演出実行手段（例えば、演出制御用マイクロコンピュータ１００におけるステップＳ８０１０で選択したプロセステーブルに従ってステップＳ８０１３，Ｓ８１０５を実行する部分）とを備え、特定表示の表示態様には、少なくとも、通常態様（例えば、通常保留）、第１特殊態様（例えば、特定保留Ａ）および第２特殊態様（例えば、特定保留Ｂ）が含まれ、変化示唆演出実行手段は、第１特殊態様により特定表示が表示されているときおよび第２特殊態様により特定表示が表示されているときは、通常態様により特定表示が表示されているときよりも高い割合により変化示唆演出を実行し（例えば、特定保留Ａまたは特定保留Ｂが表示されている場合に作用演出が実行される場合があり、通常保留が表示されている場合には作用演出が実行される場合はない）、変化示唆演出には、変化前の特定表示の態様よりも期待度の高い態様に変化する成功パターン（例えば、図２６に示す成功パターン）と、変化前の特定表示の態様よりも期待度の高い態様に変化しない失敗パターン（例えば、図２６に示す失敗パターン）とが含まれ、第１特殊態様により特定表示が表示されている場合に失敗パターンが実行されたときは、第１特殊態様による特定表示の表示が継続され（例えば、図４１に示すように、特定保留Ａが表示されているときに失敗パターンの保留予告演出が実行される場合には特定保留Ａのまま変化しない）、第２特殊態様により特定表示が表示されている場合に失敗パターンが実行されたときは、特定表示の表示態様が通常態様に変化し（例えば、図４２に示すように、特定保留Ｂが表示されているときに失敗パターンの保留予告演出が実行される場合には特定保留Ｂから通常保留に変化する）、第１特殊態様により特定表示が表示されているときに変化示唆演出が実行された場合よりも、第２特殊態様により特定表示が表示されているときに変化示唆演出が実行された場合の方が、低い割合により成功パターンが実行される（例えば、図２６に示すように、特定保留のうち特定保留Ａが表示された場合には、特定保留Ｂが表示された場合と比較して、失敗パターンの割合が低く、最終的に青色保留や赤色保留に変化する割合が高くなっている）とともに高い割合により有利状態に制御される（例えば、図２７（Ｄ）および図２９（Ｉ）に示すように、特定保留Ａが表示される場合には、特定保留Ｂが表示される場合と比較して、最終的に青色保留に変化する割合が高く、図２７（Ｅ）、図２９（Ｊ）および図３０（Ｋ）に示すように、特定保留Ｂが表示される場合にのみ、最終的に赤色保留に変化する場合があり、保留表示が特定保留Ｂから変化する場合の方が、保留表示が特定保留Ａから変化する場合と比較して、より大当りに対する期待度（信頼度）が高い赤色保留に変化する割合が高くなっている）ことを特徴とする。
（手段１）また、他の遊技機として、可変表示を行うことが可能な遊技機であって、可変表示に対応する特定表示（例えば、保留表示。アクティブ表示でもよい。）を表示可能な特定表示手段（例えば、第１保留記憶表示部９ａ、第２保留記憶表示部９ｂ）と、特定表示を表示した後に、該特定表示の表示態様の変化を示唆する変化示唆演出（例えば、作用演出）を実行可能な変化示唆演出実行手段（例えば、演出制御用マイクロコンピュータ１００におけるステップＳ８０１０で選択したプロセステーブルに従ってステップＳ８０１３，Ｓ８１０５を実行する部分）とを備え、特定表示の表示態様には、少なくとも、通常態様（例えば、通常保留）、第１特殊態様（例えば、特定保留Ａ）および第２特殊態様（例えば、特定保留Ｂ）が含まれ、変化示唆演出実行手段は、第１特殊態様により特定表示が表示されているときおよび第２特殊態様により特定表示が表示されているときには、通常態様により特定表示が表示されているときよりも高い割合により変化示唆演出を実行し（例えば、特定保留Ａまたは特定保留Ｂが表示されている場合に作用演出が実行される場合があり、通常保留が表示されている場合には作用演出が実行される場合はない）、変化示唆演出には、変化前の特定表示の態様よりも期待度の高い態様に変化する成功パターン（例えば、図２６に示す成功パターン）と、変化前の特定表示の態様よりも期待度の高い態様に変化しない失敗パターン（例えば、図２６に示す失敗パターン）とが含まれ、第１特殊態様により特定表示が表示されている場合に変化示唆演出の失敗パターンが実行されたときには、第１特殊態様による特定表示の表示が継続され（例えば、図４１に示すように、特定保留Ａが表示されているときに失敗パターンの保留予告演出が実行される場合には特定保留Ａのまま変化しない）、第２特殊態様により特定表示が表示されている場合に変化示唆演出の失敗パターンが実行されたときには、特定表示の表示態様が通常態様に変化する（例えば、図４２に示すように、特定保留Ｂが表示されているときに失敗パターンの保留予告演出が実行される場合には特定保留Ｂから通常保留に変化する）ことを特徴としてもよい。そのような構成によれば、変化示唆演出が実行される前の特定表示の表示態様と、変化示唆演出が実行されて特定表示の表示態様が変化するかと、に注目させることができ、遊技に対する興趣を向上させることができる。